(57)【要約】【課題】吹き出し風の左右への吹き分け角度を大きく確保できる空気調和機の室内機を提供する。【解決手段】スタビライザ４とリアガイダ５に挟まれて形成された吹き出し口７と、回動可能で前記吹き出し口７から吹き出される空気の左右方向の向きを変更する左右方向風向変更羽根６を備え、前記左右方向風向変更羽根６全体を前記吹き出し口７の外部に配置するようにしたもので、よりユーザーに近い場所での、左右方向風向変更羽根６による風向制御が可能となり、快適性の向上につながるだけでなく、従来のような吹き出し口７内部に左右方向風向変更羽根６が搭載されている場合と異なり、左右方向風向変更羽根６の両端に壁面１ｂが存在しなくなるために、吹き出し風の左右への吹き分け角度を大きくとることが可能となる。【選択図】図１
2008175431.tif 000002
【特許請求の範囲】
【請求項１】
スタビライザとリアガイダに挟まれて形成された吹き出し口と、回動可能で前記吹き出し口から吹き出される空気の左右方向の向きを変更する左右方向風向変更羽根を備え、前記左右方向風向変更羽根全体を前記吹き出し口の外部に配置するようにした空気調和機の室内機。
【請求項２】
左右方向風向変更羽根を伸縮可能なリアガイダに設けたことを特徴とする請求項１に記載の空気調和機の室内機。
【請求項３】
左右方向風向変更羽根を伸縮可能なスタビライザに設けたことを特徴とする請求項１に記載の空気調和機の室内機。
【請求項４】
吹き出し口内に位置する回動軸を中心に回動自在で前記吹き出し口から吹き出される空気の上下方向の向きを変更する上下方向風向変更羽根を備え、左右方向風向変更羽根を前記上下方向風向変更羽根上に設けた請求項１に記載の空気調和機の室内機。
【請求項５】
吹き出し口外に位置する回動軸を中心に回動自在で前記吹き出し口から吹き出される空気の上下方向の向きを変更する上下方向風向変更羽根を備え、左右方向風向変更羽根を前記上下方向風向変更羽根上に設けた請求項１に記載の空気調和機の室内機。
【請求項６】
左右方向風向変更羽根を前後方向にスライド可能に設けたことを特徴とする請求項４又は５に記載の空気調和機の室内機。
【請求項７】
上下方向風向変更羽根を変動可能な腕部を介して本体に取り付けた請求項５または６に記載の空気調和機の室内機。
【請求項８】
左右方向風向変更羽根を２つの上下方向風向変更羽根間に配置した請求項１〜７のいずれか１項に記載の空気調和機の室内機。
【請求項９】
左右方向風向変更羽根を取り付けた桟を複数設けたことを特徴とする請求項１〜８のいずれか１項に記載の空気調和機の室内機。
【請求項１０】
複数の桟を、各々平行に配置しないようにしたことを特徴とする請求項９に記載の空気調和機の室内機。
【発明の詳細な説明】
【技術分野】
【０００１】
本発明は、空気調和機の室内機に関するものである。
【背景技術】
【０００２】
従来の一般的な空気調和機の室内機の吹き出し口には、熱交換された空気の吹き出し方向を左右に変更する左右方向風向変更羽根が設けられ、その左右方向風向変更羽根の回動軸を、リアガイダもしくはスタビライザに取り付けるため、左右方向風向変更羽根は、吹き出し口内部に存在していた（例えば、特許文献１参照）。
【特許文献１】特開２００４-２３２９４３号公報
【発明の開示】
【発明が解決しようとする課題】
【０００３】
しかしながら、前記従来の空気調和機の室内機の構成では、左右の風向制御がしにくい、特に、広角に吹き出す事が出来ないという問題点があった。左右方向風向変更羽根を上下方向風向変更羽根に取り付けた室内機も存在するが、左右方向風向変更羽根の回動軸が、吹き出し口内部に固定されているため、結局この場合でも、左右の風向制御は吹き出し口内部でしか行うことが出来ない、という課題があった。
【０００４】
本発明は、上記従来の課題を解決し、吹き出し口から吹き出される空気の左右への吹き分け角度を大きくすることができる空気調和機の室内機を提供することを目的とするものである。
【課題を解決するための手段】
【０００５】
前記従来の課題を解決するために、本発明の空気調和機の室内機は、スタビライザとリアガイダに挟まれて形成された吹き出し口と、回動可能で前記吹き出し口から吹き出される空気の左右方向の向きを変更する左右方向風向変更羽根を備え、前記左右方向風向変更羽根全体を前記吹き出し口の外部に配置するようにしたもので、よりユーザーに近い場所での、左右方向風向変更羽根による風向制御が可能となり、快適性の向上につながるだけでなく、従来のような吹き出し口内部に左右方向風向変更羽根が搭載されている場合と異なり、左右方向風向変更羽根の両端に壁面が存在しなくなるために、左右への吹き分け角度を大きくとることが可能となる。
【発明の効果】
【０００６】
本発明の空気調和機の室内機は、左右方向風向変更羽根を吹き出し口外に配置することにより、よりユーザー側での左右風向制御が可能となるだけでなく、左右方向風向変更羽根の両端に吹き出し口の側壁が存在しなくなることから、左右への吹き分け角度を大きくすることが可能となる。
【発明を実施するための最良の形態】
【０００７】
第１の発明は、スタビライザとリアガイダに挟まれて形成された吹き出し口と、回動可能で前記吹き出し口から吹き出される空気の左右方向の向きを変更する左右方向風向変更羽根を備え、前記左右方向風向変更羽根全体を前記吹き出し口の外部に配置するようにしたもので、よりユーザーに近い場所での、左右方向風向変更羽根による風向制御が可能となり、快適性の向上につながるだけでなく、従来のような吹き出し口内部に左右方向風向変更羽根が搭載されている場合と異なり、左右方向風向変更羽根の両端に壁面が存在しなくなるために、左右への吹き分け角度を大きくとることが可能となる。
【０００８】
第２の発明は、特に、第１の発明の左右方向風向変更羽根を伸縮可能なリアガイダに設けたもので、運転時には、風向制御のために左右方向風向変更羽根は吹き出し口の外部に配置するが、運転停止時には、美観を損なわないようにするために本体内部に収納することが可能となる。また、左右方向風向変更羽根をリアガイダに設けることにより、特に、冷房時など重たい空気が吹き出し口から吹き出されるときに効果的に風向制御を行うことが出来る。
【０００９】
第３の発明は、特に、第１の発明の左右方向風向変更羽根を伸縮可能なスタビライザに設けたもので、運転時には風向制御のために、左右方向風向変更羽根を吹き出し口の外部に配置するが、運転停止時には、美観を損なわないように左右方向風向変更羽根を本体内部に収納することが可能となる。また、スタビライザに設けることにより、特に暖房時など軽い空気が吹き出し口から吹き出されるときに効果的である。
【００１０】
第４の発明は、特に、第１の発明の吹き出し口内に位置する回動軸を中心に回動自在で前記吹き出し口から吹き出される空気の上下方向の向きを変更する上下方向風向変更羽根を備え、左右方向風向変更羽根を前記上下方向風向変更羽根上に設けたもので、左右方向風向変更羽根を吹き出し口外部に配置するための特別な部材を必要とせず、コストの削減につながるだけでなく、制御も容易となる。
【００１１】
第５の発明は、特に、第１の発明の吹き出し口外に位置する回動軸を中心に回動自在で前記吹き出し口から吹き出される空気の上下方向の向きを変更する上下方向風向変更羽根を備え、左右方向風向変更羽根を前記上下方向風向変更羽根上に設けたもので、上下方向風向変更羽根の回動軸が吹き出し口内部に存在するときよりも、さらに前方での風向制御が可能となり、気流のコントロールが行いやすくなる。
【００１２】
第６の発明は、特に、第４又は第５の発明の左右方向風向変更羽根を前後方向にスライド可能に設けたもので、左右方向風向変更羽根を前後にスライドさせることにより、運転停止時と運転時での左右方向風向変更羽根の位置を変更することが可能となり、運転停止時に上下方向風向変更羽根を閉じても、吹き出し口に搭載されている他の機能部品等と干渉しないように左右方向風向変更羽根を位置させることが出来る。
【００１３】
第７の発明は、特に、第５または第６の発明の上下方向風向変更羽根を変動可能な腕部を介して本体に取り付けたもので、上下方向風向変更羽根の配置位置の幅が広がるため、左右風向制御と合わせた気流コントロールが行いやすくなる。
【００１４】
第８の発明は、特に、第１〜７のいずれか一つの発明の左右方向風向変更羽根を２つの上下方向風向変更羽根間に配置したもので、整流効果を高めると共に、左右方向風向変更羽根の上下が上下方向風向変更羽根で囲まれることにより、左右方向風向変更羽根を安定させることも出来る。
【００１５】
第９の発明は、特に、第１〜８のいずれか一つの発明の左右方向風向変更羽根を取り付けた桟を複数設けたもので、左右方向風向変更羽根を各々独立して動かすことが出来るようになり、ある一点を狙うスポット気流、あるいは部屋全体に空気を送る拡散気流など、気流制御の幅が広がる。
【００１６】
第１０の発明は、特に、第９の発明の複数の桟を、各々平行に配置しないようにしたもので、スポット気流、あるいは拡散気流などの気流制御がさらに行いやすくなる。
【００１７】
以下、本発明の実施の形態について、図面を参照しながら説明する。なお、下記実施の形態によって本発明が限定されるものではない。
【００１８】
（実施の形態１）
図１は、本発明の第１の実施の形態における空気調和機の室内機の断面図、図２（ａ）は、従来の空気調和機の室内機の左右方向風向変更羽根の位置を示す図、（ｂ）は、本実施の形態における空気調和機の室内機の左右方向風向変更羽根の位置を示す図である。
【００１９】
図１において、空気調和機の室内機１は、送風ファン２と、熱交換器３と、スタビライザ４と、伸縮自在のリアガイダ５と、熱交換器３で熱交換された空気を吹き出す吹き出し口7と、吹き出し口7から吹き出される空気の左右方向の向きを変更する左右方向風向変更羽根６と、吹き出し口7から吹き出される空気の上下方向の向きを変更する上下方向風向変更羽根８と、熱交換器３の温度を検出する温度検出器（図示せず）と、マイクロコンピュータなどからなる制御手段（図示せず）を備えている。
【００２０】
本実施の形態では、伸縮可能なリアガイダ５に左右方向風向変更羽根６を設けており、図１（ａ）に示すように、運転停止時には、吹き出し口７の内部に収納されていた左右方向風向羽根６が、運転時には、図１（ｂ）に示すように、リアガイダ５が前方に伸びて、それと共に左右方向風向変更羽根６全体が吹き出し口７の外部に配置される。
【００２１】
このように左右方向風向変更羽根６が吹き出し口７の外部に配置されることにより、よりユーザーに近いところでの左右方向での風向制御が可能となり、快適な気流を生み出すことが可能となる。また、図２（ａ）に示すように、左右方向風向変更羽根６が吹き出し口７内部にある従来の空気調和機と異なり、図２（ｂ）に示すように左右方向風向変更羽根６を吹き出し口７の外部に配置することにより壁面１ｂから開放されるため、羽根角度を、従来よりもより大きく左右に向けることが可能となり、より広角に風を吹き出すことが出来る。
【００２２】
特に、冷房時には送風ファン２より吹き出る風が重いために、リアガイダ５に沿って流れやすくなり、この実施の形態による効果は大きくなる。なお、ここで吹き出し口７とは運転停止時にスタビライザ４とリアガイダ５によって挟まれている領域（図１および図２の点線より本体１ａ側の領域）を指す。
【００２３】
（実施の形態２）
図３は、本発明の第２の実施の形態における空気調和機の室内機の断面図である。尚、上記第１の実施の形態における空気調和機の室内機と同一部分については、同一符号を付してその説明を省略する。
【００２４】
本実施の形態は、スタビライザ４を伸縮自在にし、その伸縮自在なスタビライザ４に左右方向風向変更羽根６を設けたもので、図３（ａ）は、空気調和機の室内機１の運転停止時で、左右方向風向変更羽根６が吹き出し口７内に収納された状態を示し、図３（ｂ）は、運転時にスタビライザ４が外方に伸びて、左右方向風向変更羽根６全体が吹き出し口７の外部に配置された状態を示している。
【００２５】
以上のように、本実施の形態によれば、上記第１の実施の形態と同様、快適な気流を生み出すことが可能となるだけでなく、より広角に風を吹き出すことが出来る。特に暖房時にはファンより吹き出る風が軽いためにスタビライザに沿って流れやすくなり、この実施の形態による効果は大きくなる。
【００２６】
（実施の形態３）
図４は、本発明の第３の実施の形態における空気調和機の室内機の断面図である。尚、上記実施の形態における空気調和機の室内機と同一部分については、同一符号を付してそ
の説明を省略する。
【００２７】
本実施の形態は、図４に示すように、吹き出し口７内に設けた回動軸８ａを中心に回動する上下方向風向変更羽根８に、前後方向にスライド可能な左右方向風向変更羽根６を搭載したものである。
【００２８】
本実施の形態では、図４に示すように、左右方向風向変更羽根６を上下方向風向変更羽根８の下面に搭載しているが、このような構成とすることにより、特に、暖房時などで空気が上昇しやすい場合に、上下方向風向変更羽根８で暖気を下に押し付けつつ、左右方向風向変更羽根６での左右への風向制御が行いやすくなる。
【００２９】
反対に、冷房時には空気が下降しやすいため、図２とは、逆に、上下方向風向変更羽根８の上面に左右方向風向変更羽根６を搭載すると上下・左右ともに風向制御が行いやすくなる。さらには、特に、図示しないが、左右方向風向変更羽根６を、上下方向風向変更羽根８の上下両面に配置しても良く、この場合には、上下の左右方向風向変更羽根６を異なる向きに配置することにより、上下方向風向変更羽根８の上下で風向を変えることが出来る。
【００３０】
尚、前後のスライドとは、斜め前後へのスライドも含むのは言うまでもない。
【００３１】
（実施の形態４）
図５は、本発明の第４の実施の形態における空気調和機の室内機の断面図である。尚、上記実施の形態における空気調和機の室内機と同一部分については、同一符号を付してその説明を省略する。
【００３２】
本実施の形態は、図５に示すように、変動自在で、一端に、上下方向風向変更羽根８を回動自在に設けた腕部９を本体１ａに取り付け、同時に、左右方向風向変更羽根６を、上下方向風向変更羽根８にスライド可能に設けたものである。
【００３３】
以上のように、本実施の形態によれば、腕部９を介して、上下方向風向変更羽根８を使用することにより、上下方向風向変更羽根８の位置の自由度が従来に比べて増すために、上下方向風向変更羽根８自体をよりユーザー側に配置できるだけでなく、冷房・暖房によっても、上下方向風向変更羽根８の位置・角度等を変更できるため、気流コントロールが行いやすくなる。また、左右方向風向変更羽根６をより前方に配置できるようになるため、空気も広角に吹き出すことが容易となる。ここで、腕部９の形状・配置は問わないのは言うまでもない。
【００３４】
（実施の形態５）
図６は、本発明の第５の実施の形態における空気調和機の室内機の断面図である。尚、上記第４の実施の形態における空気調和機の室内機と同一部分については、同一符号を付してその説明を省略する。
【００３５】
本実施の形態は、図６に示すように、左右方向風向変更羽根６の下方に、第２の上下方向風向変更羽根であるサブフラップ１０を設けて、左右方向風向変更羽根６を、上下方向風向変更羽根８とサブフラップ１０の２枚の上下羽根間に配置するものである。従来の空気調和機においては、上下への風向特性向上のためにサブフラップを用いた２段形状の上下羽根を使用した例もあるが、本実施の形態のように、その間に可動式の左右方向風向変更羽根６を配置することにより、上下の風向特性だけでなく左右の風向特性も向上する。さらには左右方向風向変更羽根６が上下で固定されるため、左右方向風向変更羽根６自体も安定する。
【００３６】
（実施の形態６）
図７（ａ）は、本発明の第６の実施の形態における空気調和機の室内機の上下方向風向変更羽根と左右方向風向変更羽根を上から見た図である。尚、上記実施の形態における空気調和機の室内機と同一部分については、同一符号を付してその説明を省略する。
【００３７】
本実施の形態は、図７（ａ）に示すように、上下方向風向変更羽根８を変動可能な腕部９を介して本体１ａに取り付けると共に、その上下方向風向変更羽根８の左右に、それぞれ桟１１を用いた左右方向風向変更羽根６を分割して設け、それぞれの左右方向風向変更羽根６を独立して駆動させるようにしたものである。
【００３８】
このように左右方向風向変更羽根６を左右独立で稼働させ、例えば、図７（ａ）に示すように、左右方向風向変更羽根６のそれぞれの羽根６ａを外側に向けるようにすれば、空気を広角に吹き出すことが可能となる。反対に、左右方向風向変更羽根６のそれぞれの羽根６ａを内側に向けることにより、一点を狙ったスポット気流を生み出しやすくなる。
【００３９】
さらには、図７（ｂ）に示すように、４本の桟１１を用いて、同図に示すような羽根角度とすることにより、２点へのスポット気流も可能となる。ここで、桟１１の使用本数に限度はないのは言うまでもない。
【００４０】
（実施の形態７）
図８は、本発明の第７の実施の形態における空気調和機の室内機の上下方向風向変更羽根を上から見た図である。尚、上記第６の実施の形態における空気調和機の室内機と同一部分については、同一符号を付してその説明を省略する。
【００４１】
上記第６の実施の形態では、左右の桟１１を、水平に設けたが、本実施の形態は、左右の桟１１を平行にしないようにするもので、例えば、図８に示すように、左右の桟１１を略Ｖ字状に配したものである。
【００４２】
このように、左右の左右方向風向変更羽根６の桟１１を略Ｖ字型とすることにより、上記第６の実施の形態よりもさらにスポット気流の効果が得られる。なお、左右方向風向変更羽根６の桟１１の配置形状はＶ字型に限らず、それぞれが平行に配置されていなければよいことは言うまでもない。
【００４３】
ここで、本発明において、左右方向風向変更羽根６の羽根６ａの枚数、サイズ、形状、もしくは上下方向風向変更羽根８の形状等は問わない。さらには、これら左右方向風向変更羽根６、上下方向風向変更羽根８の羽根の制御方法に関して問わないことは言うまでもない。また、個々の左右方向風向変更羽根６同士を連結する桟１１の取り付け位置に関しても、特に限定するものでは無い。
【産業上の利用可能性】
【００４４】
以上のように、本発明にかかる空気調和機の室内機は、従来よりも快適な気流を生み出すことができるもので、可動な左右方向風向変更羽根を持つ空気調和機の室内機において有用である。
【図面の簡単な説明】
【００４５】
【図１】（ａ）本発明の第１の実施の形態における空気調和機の室内機の断面図（運転停止時）、（ｂ）同空気調和機の室内機の断面図（運転時）
【図２】（ａ）従来の空気調和機の室内機の左右方向風向変更羽根の位置を示す図、（ｂ）本実施の形態における空気調和機の室内機の左右方向風向変更羽根の位置を示す図
【図３】（ａ）本発明の第２の実施の形態における空気調和機の室内機の断面図（運転停止時）、（ｂ）同室内機の断面図（運転時）
【図４】本発明の第３の実施の形態における空気調和機の室内機の断面図
【図５】本発明の第４の実施の形態における空気調和機の室内機の断面図
【図６】本発明の第５の実施の形態における空気調和機の室内機の断面図
【図７】（ａ）本発明の第６の実施の形態における空気調和機の室内機の上下方向風向変更羽根と左右方向風向変更羽根を上から見た図、（ｂ）同左右方向風向変更羽根の他の配置例を示す図
【図８】本発明の第７の実施の形態における空気調和機の室内機の上下方向風向変更羽根を上から見た図
【符号の説明】
【００４６】
１    室内機
１ａ  本体
１ｂ  壁面
２    送風ファン
３    熱交換器
４    スタビライザ
５    リアガイダ
６    左右方向風向変更羽根
７    吹き出し口
８    上下方向風向変更羽根
９    腕部
１０    サブフラップ（第２の上下方向風向変更羽根）
１１    桟
【図１】
2008175431.tif 000003
【図２】
2008175431.tif 000004
【図３】
2008175431.tif 000005
【図４】
2008175431.tif 000006
【図５】
2008175431.tif 000007
【図６】
2008175431.tif 000008
【図７】
2008175431.tif 000009
【図８】
2008175431.tif 000010